(57)【要約】      （修正有）【課題】閉じた系でのエネルギー普遍法則を超えて、いきなり１：１０の３８乗倍の激しい原子力として発生すると言う自然の現象を、重力、弱い力、電磁気力、核力に至る連続した穏やかなエネルギー発生方法と装置を提供することにある。【解決手段】電磁力時である四次元モーターを一次元方向に多段とし、各段の回転数と時間の積数を各段掛け合わせＮ段乗とする高速回転を得、二段目を固定子から開放し自由回転とする出力軸回転子による多段に於いて、二段目以降の多段内部自己誘導発電により発生する発電と供に出力軸プラス回転方向に回転を倍化する効率Ｎとする発電を利用する。一段目駆動モータ第一の回転により二段目発電機回転子を回転させ二段目固定子を固定から開放し、出力軸回転子とし、差速発電させ、発生トルクにて、多段目回帰発電機の回転子を回転、多段目固定子との差速により発電時投入エネルギーは同じで、Ｎ段倍の発電を具現化。【選択図】  図３
2006204076.tif 000002
【特許請求の範囲】
【請求項１】
四つのそれぞれが閉じた系である、重力、弱い力、電磁起力、核力のゲージ場のひとつ重力場内でのエネルギー普遍を、普遍を超える重力から核力にいたる連続した穏やかな自然のエネルギー発生方法として、電磁気力である三次元方向と回転する時間を入れた四次元を多段に用いて、閉じた系を超えるエネルギーを発生させる方法及び其の装置である四次元多段モータ。
【請求項２】
一段目駆動モータで二段目発電機の回転子を第一の回転で回転させ、発電させると供に、二段目発電機の固定子を外し、発電の際に発生する起力で三段目回転子を回転させる、二段目固定子であった本体を出力軸回転子と名前を付け、出力軸回転子で次段の発電機回転子を回転させ、次段の固定子との間で差速発電させることを特徴とする多段モータ発電方法及び発電機。
【請求項３】
上記請求項２の二段目発電機の回転子と出力軸回転子を二分の一多段ブロックとし、二段目出力軸回転子が三段目二分の一多段ブロック回転子を動かし三段目出力軸回転子との間で差速を起こす、二段目と三段目、これを一単位多段ブロックとする、多段連動し、連なり、最後の段、これを回帰段と呼ぶ、での発電機回転子と発電機固定子と電磁気力で連動する一次元多段モータ発電機。
【請求項４】
大口径の筒の中かあるいは外に、周上に固定された複数の小口径の発電機が、大口径の筒蓋円盤円周上に軸方向を円盤に垂直方向とし、並列に連なり。小口径の発電機回転子はそれぞれ歯車を具備し。大口径円盤中心に具備する軸を入力軸とする歯車と連動することを特徴とする二次元多連モータ発電機。
【請求項５】
請求項４の小口径発電機が請求項２多段モータ発電機であるか、請求項３の一次元多段モータ発電機であることを特徴とする、請求項４の二次元多連モータ発電機を一次元方向に多段にする三次元多連多段モータ発電機。
【発明の詳細な説明】
【発明の詳細な説明】
【技術分野】
【０００１】発電機
【背景技術】
【０００２】従来の発電機は、効率二分の一×力率×回転数×トルクで交流発電エネルギーを表す。熱力学にも従い、エネルギー普遍則を超える事が出来ない、と言れている。物性物理に於いても、エネルギーの弱い順から、重力、弱い力、電磁気力、核力と有り、重力からいきなり核力を表す事が可能ですが、重力から力の弱い順番に、穏やかなエネルギーとしてエネルギー普遍を超えて発生させる事はできないとされている。各四つの次元がそれぞれ閉じているとされている。思考方法も技術の根幹であるとする捕らえかたをすれば、錬金術としての経験主義を絶対視し、手探りでしか物の判断をしてはいけないと言う、真理を見つめる目に蓋がかぶさっている状態である。エネルギーを数理で表すことを考慮すると、数理も、基数一は何でも良いとする微分、積分の便法が絶対であり、基数一が定まらない、大きくなったり小さくなったりする、いいかげんな算術が絶対だとされている。小さな狭い世界である、人間の考える事が絶対であるとする人間中心主義の基、このエネルギー普遍則が、自然の核力を越す、膨大な永久エネルギーを表す現実の前には、一人よがりなうぬ惚れた、人間の卑屈としか写らない。
【発明が解決しょうとする課題】
【０００３】本発明は、閉じた系のエネルギー普変則を超える、重力から核力に至るエネルギーの発生を、激しい原子力の利用ではなく、穏やかな自然のエネルギー発生方法として、電磁起力方向と時間である回転方向を、四次元時空として併せ持つモータを三次元連動多段とし、三次元連動多段モータに拠り自在にコントロールすることを課題としている。本発明は第一の回転をする駆動モータにより回転させられる発電機に係る。駆動モータ単体では回転を上げると、効率が良くなる一次関数としての特性がある。しかし発電機と連動すると発電機が回転数とトルクの積の二次関数であるため、駆動モータは二次関数として働き、其の一次関数の特性をいかす事が出来ない。本発明は駆動モータの回転が上がると効率があがる特性を、発電機を回転させるときにも、其の特性を生かせるようにする事を課題としている。又発電機が発電する際に起きる力、トルクを減じる事を課題としている。
【課題を解決する為の手段】
【０００４】閉じた系内のことであるエネルギー普遍則を、普遍則を超える核力にまで至る、穏やかなエネルギーを発生させると言う課題を解決する方法として、縦、横、高さの三次元方向と時間であるプラスとマイナス回転方向を併せ持つ電磁起力により可動するモータを三次元方向に多連多段に用いて行う。駆動モーターは、回転数が二倍になると、トルクは二分の一になり、消費エネルギーも二分の一に成る。回転数とトルクの積がエネルギーとすると、其の積は一であるが、実際のエネルギーは二分の一である。エネルギー普遍則を超える、切り口が此処には存在する。他方、海面の水と、同じ水でも山の湖水の水とでは、山の水の方が、位置のエネルギーを内在している。同じことがモーターにも言え、直径が一の発電機と直径が二の発電機では、直径一×コイル数一×回転数一×起力一×発電一とすると、直径二×コイル数二×回転数一×起力二×発電二であれば位置のエネルギーは無いのですが、現実は、直径二×コイル数二×回転数一×起力（二×二×二）×発電（二×二）となり、位置のエネルギーを内包している。此処にもエネルギー普遍則を超える切り口が存在する。本発明は、課題を解決する為の一方の手段として、駆動モーターのこの優れた能力を引出すために、発電機を一次元方向に連動多段とし、中間の発電機固定子を固定から開放し、出力軸回転子とすることを多段と定め、回転子と出力軸回転子の差速によリ発生する電磁起力により、投入する第一の回転数をＮ段倍数とすると、発電はＮ段倍の発電をする。従来の発電機の発電は回転とトルクの積である二次関数に従うに対し、この一次元多段発電機は、各段の差速により回転は段数倍上がれど、トルクは同じと言う一次関数に従い、駆動モータの一次関数に従う特性と合致する。これにより回転が上がれば上がるほど効率が良いと言う駆動モータと一次元多段モータの連動は、従来の発電を駆動エネルギー一×発電一とすると、投入駆動エネルギー一×Ｎ段数倍と成る。本発明は課題を解決する為の他方の手段として、直径が倍になるとトルク効率が二倍になる、という駆動モータの特性と、逆に直径を二分の一にするとトルクが半減する発電機の効率を生かすために、連動する発電機の直径を小さくすることを解決手段とするが、直径を小さくすれば長さが長くなると言う相対する問題を、大口径駆動モータと同じ程度の大きさの筒を大口径固定子とする、の中かあるいは外に、小口径発電機を詰め、小口径発電機の固定子を大口径固定子に固定する。それぞれの小口径発電機の軸に歯車を具備し、大口径固定子の中心を回転軸とする歯車と連動させ、二次元方向多連とすることで、位置の効率、である直径比としての効率のよい発電機を提供する、其の上に小口径発電機を一次元方向多段とすることで、駆動モータの二次関数での効率の良さを具現する。
【発明を実施するための最良の形態】
【０００５】多段モータの第Ｉの回転を提供する一段目駆動モータ回転子に二段目発電機回転子を装着し、発電機の固定子を固定から開放し、これの名前を出力軸回転子とし、多段目発電機回転子に取り付け、多段目出力軸回転子を、固定子を具備する最終段、これを回帰段と名付ける、この回帰段回転子に取り付ける。一段目駆動モータを除いた残り、これを一次元多段モータ発電機と名付ける。この発電機の特徴は、発電機発生電力が、トルクと回転数の積である二次関数に対して、各段の回転子と出力軸回転子との間のトルクも同じ、差速も同じであり、発電量も同じである。即ち、回転を段数倍上げても、トルクは上がらないと言う一次関数に従う。歯車との違いは、歯車は回転が上がるとトルクが逆数として相対して下がる、下がったトルク側を基準とすると、二次関数である。一次関数に従う一段目駆動モータは一たび、多段モータ発電機とペアーを組むと、効率がＮ段倍化するのである。一次元多段モータは一段目を駆動モータとし回転子と出力軸回転子を備えた二段目と三段目を一ブロックとし、最終段、固定子と回転子を具備する発電機、回帰段に繋ぐ。第一の回転と各ブロックと回帰段はカプラーでジョイントした。他方モータのトルクは直径により効率が変わる、例えば直径一×回転（四）×コイル数一×起力（四）×電力（四×四）のモータがある。これに対し、直径四×回転一×コイル数四×起力（四×四×四）×電力（四×四）のモータがある。この直径比で、電力が同じとした時、トルクが四倍に変わる。駆動モータとした時は、直径が大きい方が良く、発電機としたときには直径が小さい方が良い。駆動モータと発電機の組み合わせである多段モータに於いては、大口径駆動モータに小口径発電機の組み合わせで効率が良くなる。本発明の実施形態としては、小口径発電機が長くなる欠点を防ぐため、二次元多連とした。駆動モータ直径を大口径とし、駆動モーターと同じ程度の大口径筒状固定子に複数の小口径発電機固定子を円周上に並べ、それぞれの小口径発電機回転子には、歯車を装着し、大口径筒状固定子の蓋中心に入力用回転軸を具備し、回転軸に回転軸と連動する平歯車を装着し、この平歯車に、複数の小口径発電機回転子の先に装着した歯車を連動させる。これを二次元多連モータ発電機とした。其の上に小口径発電機の先に回帰モータ発電機を装着し、三次元多連多段モータ発電機とした。実施図は大口径固定子の中に小口径発電機が装着されているが、外側でも機能は変わらなく、逆に配線はし易い。
【実施例】
【０００６】本発明の実施例は図を用いて説明する。図１は多段モータ発電機の最小単位を表す回転軸方向に平行な断面図である。三相交流モータとして表す。一段目駆動モータ、図示しない、より二段目発電機ｃ回転子に入力されたトルク一×回転数二はｄ出力軸回転子との間の差速一で発電一を成し、電気ａ伝導ロータからｂカーボンブラシを経て固定側に発電した電気として供給される。ｃ回転子は励磁磁鉄に巻きつけられたコイルで構成される電機子である。ｄ出力軸回転子はアウターロータであり内側に永久磁石が装着されている。二段目発電機発電時に発生する起力一は、三段目、ｆ回帰モータ発電機回転子に、トルク一×回転数一として伝えられ、ｅ回帰モータ発電機固定子との間で差速が生まれ、発電一を発生する。従来の発電機は回転を二倍にするとトルクも二倍になる二次関数に従うが、多段モータ発電機は回転をＮ倍にしてもトルクは同じで、Ｎ倍にならなく一次関数に従う。一方、一般的に駆動モータは回転をＮ倍にすると、トルクがＮ分の一に下がり、投入エネルギーもＮ分の一に下がると言う一次関数の駆動力を示す。駆動モータと多段発電機は互いに一次間数であり、良く合致している。図３は二次元多連モータの回転方向を表す横断面図である。図３の二次元多連モータはＡ大口径筒固定子の内側にＤ小口径発電機固定子が八機固定してある。八機のｃ小口径発電機回転子Ｃ軸にはＥ歯車が回転軸と連動するＦキーを経て取り付けてある。Ａ大口径筒固定子の前後には、ボルトで一体化したＧ・Ｈ蓋を具備し、Ｇ蓋の円盤中心には回転するＩ入力用軸がＪベアリングを経て挿入装着されている。このＩ入力軸先端には、駆動モータと連結するＫカプラーが取り付けてある。Ｇ蓋の内側には、Ｉ入力軸と連動するＬ大口径筒平歯車が装着され、Ｌ大口径筒平歯車は八機のＥ小口径発電機平歯車と連動する、ギア比は一対八に設定してある。図２は二次元多連モータ発電機と三次元多連多段モータ発電機の回転軸の断面図である。駆動モーターと小口径発電機との口径差は一対四とする。口径とは回転子の直径とする。駆動モーターの係数を、個数一機×回転数一×直径起力比四×コイル数四×起力四×（入力電力数四×四）＝六十四・回転・起力とする。起力とは口径の位置で、電磁気力が回転子と固定子の差速により発生する、力、反発力か吸引力を言う。他方小口径発電機を考慮すると、個数一機×回転数八×直径起力比一×コイル数一×起力八×（発電六十四）＝六十四・回転・起力となる。これにより駆動モータ入力エネルギーより小口径発電機の方は四倍効率が良くなる。次に大口径四駆動モータと小口径一駆動モータの静止時起力の関係を考慮してみましょう。一方は、口径四×直径比四＝十六起力。他方は、口径一×直径比一×＝起力一。口径四と口径一とを歯車として考えると、一機の口径四駆動回転子に外接する口径一発電機回転子は十六機駆動させることが出来る。これは発電機と駆動モータのトルクが回転数に対して逆比であることを考慮していない。発電機発電時トルクと駆動モータ駆動時トルクが同じ時の回転数、差速三万回転を歯車比として駆動モータを静止状態とすれば、合理性はある。実際は発電時トルクと駆動時トルクが同じ状態の回転数差速は、この小口径モータ発電機で���高回転数は三万回転であり、歯車比は、八×三千七百五十×八分の一機と、八の四段歯車になるが、駆動モータ瞬間最大静止トルク状態であるからこれを持続すると、コイルが焼け切ってしまうだろう。図２は八機の小口径発電機を大口径駆動モータと歯車比一対八で連動させた物の断面図である。これにより、発電効率は直径比四倍だけあがる。次にｃ小口径発電機固定子を外し、ｄ出力軸回転子とし、ｇ出力軸回転子出力軸とｆ回帰モータ発電機回転子を連動させ、ｅ回帰モータ発電機固定子との間で差速発電を発生させる。ｅ回帰モータ発電機固定子はＡ大口径筒状固定子に固定されている。これを駆動モータ、多段発電機、回帰モータ発電機と、起力と回転数とエネルギーの関係で考慮してみましょう。駆動モータ回転数一×起力（投入電力十六×直径比四）＝エネルギー六十四。発電機モータ回転数八×モータ機数八×起力八×（八分の一で駆動モーターとの回転数とあわせる）＝エネルギー六十四。効率は四倍にあがる。次に段階を進めＤ小口径発電機固定子を外し、ｄ出力軸回転子とし、ｆ回帰モータ発電機回転子に連動する、この際の起力は多段発電機の起力と同じである。回転数は二分の一に下がるので、駆動モータの回転を二倍に上げた。これにより回帰モータ発電機は、多段モーター段とまったく同じ発電をした。工業試験所でのデーターも同じであった。これにより発電機二段の発電エネルギーは百二十八となった。駆動モータは回転が二倍、起力は同じ六十四、投入電力も同じ十六。効率は八倍と成った。多段モータに歯車比八×四の歯車を設定し発電機を四段としても稼動した。
【発明の効果】
【０００７】従来の駆動モータを高速回転に至らせればトルクはなくなり、消費エネルギーも各種損を除いて、無くなる一次関数に従う。駆動モータは高速回転の出るモータ、例えばピストンエンジンとタービンエンジンと比較すると、高速回転の出易いタービンエンジンのほうが効率は良い。しかしエンジン単体で使用しても、ひとたび仕事をさせると、例えば、発電機を駆動し高速回転に至らせると、回転と供にトルクも上がると言う、二次関数にしたがう物体の加速度運動エネルギーにより、この駆動モータの異四次元に至る中間子としての特性を生かすことが出来ない。本発明の一部である一次元多段モータ発電機は、二次関数に従う発電機を、駆動モータにつなぎ、回転子を回転させ発電させるまでは従来のタコジェネレータと変わりは無い。固定子を外し、出力軸回転子とし、これを多段モータとし、最終段の発電機、これを回帰モータ発電機とする、の回転子につなぎ電磁気力で連動すると、回転を上げながら、トルクは同じとする一次関数に従わせることが可能と成った。自分の能力だけではなく、相手の能力、良いところを見つけ、互いに手を取り合って協力しあう事にょリ、一＋一は二と言う、この閉じた四次元時空を越す、次高四次元のエネルギーを取り出す事が可能となった。解り易く言えば、多段モータ発電機は、其の駆動トルクが何段でも互いのモータ同士同じであり、それぞれの回転差速も同じであり、発電も同じであり、違うのは、投入する第一の回転数が段数倍とすることが出来ることである。この発電機を駆動するモータは駆動モータ自身の持つ、回転をＮ段倍上げてもトルクを一定にすると、投入エネルギーは変わらなく一定であると言う性能を、一次元多段モータ発電機に繋ぐことにより引出すことが可能となった。これにより投入エネルギーは同じで、発電が従来の発電機の多段倍発電することが可能となった。他方、海の水と山上の湖水の水とでは同じ水でも、位置エネルギーが違う、これと同じ様なことがモータにも言え、直径が発電機の四倍の駆動モータでは四倍のコイル数に四×四周波数である十六倍の投入電力と直径比四のトルク効率で、六十四の駆動力を得る。これを発電機の回転数に置き換えても、遠心力による破戒限界があり、又一次元方向に長くしても、シャフトのブレ、縄跳びの回転する縄のように芯ぶれが起こり、限界がある、これを二次元円盤方向に多連とし、それぞれを歯車で連携させることにより、駆動モータと同じ直径で、長さも同じ長さで、効率が従来の発電機を一とする直径比Ｎ倍の発電機を具現させた。其の上で発電機を一次元方向多段とすることにより、Ｎ×Ｎ段倍の発電を具現させた。
【図面の簡単な説明】
【０００８】
【図１】は本発明の同軸一次元多段モータ発電機とする二段目と最終段目の断面図。
【図２】は発明の三次元多連多段モータ回転面の断面図。
【図３】本発明の三次元多連多段モータ軸方向の断面図。
【符号の説明】
【０００９】ａ  電導ロータ    ｂ  カーボンブラシ    ｃ  小口径発電機回転子
ｄ  出力軸回転子    ｅ  回帰モータ発電機固定子    ｆ  回帰モータ発電機回転子
ｇ  出力軸回転子出力軸    ｄ  出力軸回転子    Ａ  大口径筒固定子
Ｅ  小口径発電機平歯車    Ｌ  大口径筒平歯車    Ｃ  軸
Ｄ  小口径発電機固定子    Ｅ  小口径発電機平歯車    Ｆ  キー
Ｇ  蓋    Ｈ  蓋    Ｉ  入力用軸    Ｊ  ベアリング    Ｋ  カプラ
Ｌ  大口径平歯車
【図１】
2006204076.tif 000003
【図２】
2006204076.tif 000004
【図３】
2006204076.tif 000005